(57)【要約】【課題】配線が配置された配線領域になされた意図せぬ操作を検出する誤検出を抑制すると共に、複数の電極に跨がるような操作の検出を可能とする静電タッチスイッチ装置用電極及び静電タッチスイッチ装置を提供する。【解決手段】静電タッチスイッチ装置用電極１は、基体１０に設けられ、接近した指３を検出する複数の電極（第１の電極１１〜第９の電極１９）と、基体１０に設けられ、複数の電極に電気的に接続された複数の配線（第１の配線１１０〜第９の配線１９０）と、複数の配線と絶縁されると共に複数の配線に沿って設けられ、複数の配線が設けられた配線領域１０１に接近した指３を検出する少なくとも１つの配線領域用電極と、を備えて概略構成されている。【選択図】図１
2014235927.tif 000002
【特許請求の範囲】
【請求項１】
基体に設けられ、接近した検出対象物を検出する複数の電極と、
前記基体に設けられ、前記複数の電極に電気的に接続された複数の配線と、
前記複数の配線と絶縁されると共に前記複数の配線に沿って設けられ、前記複数の配線が設けられた配線領域に接近した検出対象物を検出する少なくとも１つの配線領域用電極と、
を備えた静電タッチスイッチ装置用電極。
【請求項２】
前記配線領域用電極は、前記基体に複数設けられ、それぞれの前記配線領域用電極が電気的に接続されている、
請求項１に記載の静電タッチスイッチ装置用電極。
【請求項３】
前記配線領域用電極は、前記複数の電極及び前記複数の配線と同じ層に配置される、
請求項１又は２に記載の静電タッチスイッチ装置用電極。
【請求項４】
請求項１乃至３のいずれか１項に記載の静電タッチスイッチ装置用電極を備えた静電タッチスイッチ装置。
【請求項５】
前記複数の配線、及び前記配線領域用電極と電気的に接続され、前記配線領域用電極が検出対象物を検出した場合、前記検出対象物の検出を無効と判定する判定部を備えた請求項４に記載の静電タッチスイッチ装置。
【発明の詳細な説明】
【技術分野】
【０００１】
本発明は、静電タッチスイッチ装置用電極及び静電タッチスイッチ装置に関する。
【背景技術】
【０００２】
従来の技術として、基板の表面に配置され、被検物の接近を検出する複数の検出部と、基板の表面に配置され、一端が複数の検出部のそれぞれに接続され、他端が信号処理回路に接続された複数の配線ラインと、を有し、配線ラインの近傍には、基板の予め定められた領域において、他の検出部の配線ラインが予め定められた間隔で配置されているタッチセンサが知られている（例えば、特許文献１参照。）。
【０００３】
このタッチセンサは、被検物が配線ラインに接近すると、近傍の他の配線ラインにも接近することとなり、複数の検出部で被検物の接近を検出する。従って、信号処理回路は、複数の検出部で被検物の接近が検出された際には、被検物が検出部に接近したのではなく、配線ラインに接近したと判定すると共に、なされた操作が正しい操作ではないと判定することが可能となり、誤操作を防止することができる。
【先行技術文献】
【特許文献】
【０００４】
【特許文献１】特開２０１２−２４３５１３号公報
【発明の概要】
【発明が解決しようとする課題】
【０００５】
しかし、従来のタッチセンサは、配線ラインになされた操作を正しい操作ではないと判定することはできるが、複数の検出部に対する操作を禁止したり、接近した被検物を複数の検出部で検出しないように検出部同士を離して配置したりしなければならない問題がある。
【０００６】
従って、本発明の目的は、配線が配置された配線領域になされた意図せぬ操作を検出する誤検出を抑制すると共に、複数の電極に跨がるような操作の検出を可能とする静電タッチスイッチ装置用電極及び静電タッチスイッチ装置を提供することにある。
【課題を解決するための手段】
【０００７】
本発明の一態様は、基体に設けられ、接近した検出対象物を検出する複数の電極と、基体に設けられ、複数の電極に電気的に接続された複数の配線と、複数の配線と絶縁されると共に複数の配線に沿って設けられ、複数の配線が設けられた配線領域に接近した検出対象物を検出する少なくとも１つの配線領域用電極と、を備えた静電タッチスイッチ装置用電極を提供する。
【発明の効果】
【０００８】
本発明によれば、配線が配置された配線領域になされた意図せぬ操作を検出する誤検出を抑制すると共に、複数の電極に跨がるような操作の検出を可能とすることができる。
【図面の簡単な説明】
【０００９】
【図１】図１（ａ）は、実施の形態に係る静電タッチスイッチ装置用電極の概略図であり、（ｂ）は、図１（ａ）のI（ｂ）-I（ｂ）線で切断した断面を矢印方向から見た断面図である。
【図２】図２（ａ）は、実施の形態に係る静電タッチスイッチ装置用電極が用いられた静電タッチスイッチ装置の概略図であり、（ｂ）は、電極の配置の概略図であり、（ｃ）は、静電タッチスイッチ装置のブロック図である。
【図３】図３は、実施の形態に係る静電タッチスイッチ装置の動作を説明するためのフローチャートである。
【発明を実施するための形態】
【００１０】
（実施の形態の要約）
実施の形態に係る静電タッチスイッチ装置用電極は、基体に設けられ、接近した検出対象物を検出する複数の電極と、基体に設けられ、複数の電極に電気的に接続された複数の配線と、複数の配線と絶縁されると共に複数の配線に沿って設けられ、複数の配線が設けられた配線領域に接近した検出対象物を検出する少なくとも１つの配線領域用電極と、を備えて概略構成されている。
【００１１】
この静電タッチスイッチ装置用電極は、配線が配置された配線領域になされた意図せぬ操作を検出する誤検出を抑制すると共に、複数の電極に跨がるような操作の検出を可能とすることができる。
【００１２】
具体的には、静電タッチスイッチ装置用電極は、複数の配線が配置された配線領域に、少なくとも１つの配線領域用電極を配置することで、配線領域になされた意図せぬ操作を、配線領域用電極によって検出することができる。従って静電タッチスイッチ装置用電極は、後段の処理において、配線領域になされた操作と、電極になされた操作と、を容易に区別させることができ、誤検出を抑制させることができる。
【００１３】
また静電タッチスイッチ装置用電極は、配線に接近した検出対象物の検出と、電極に接近した検出対象物の検出と、を区別するために、同一周期における複数の電極に対する操作を禁止すると共に、電極を離して配置するような構成が必要ないので、電極に跨がる操作を検出することができる。なお、当該周期とは、全ての電極から順番に、操作を検出したか否かの情報を含む電極情報を読み出すのに要する期間を示している。以下で説明する読出周期は、全ての電極から後述する電極情報、及び全ての配線領域用電極から後述する配線領域情報、を読み出すのに要する期間を示すものとする。
【００１４】
[実施の形態]
（静電タッチスイッチ装置用電極１の構成）
図１（ａ）は、実施の形態に係る静電タッチスイッチ装置用電極の概略図であり、（ｂ）は、図１（ａ）のI（ｂ）-I（ｂ）線で切断した断面を矢印方向から見た断面図である。なお、実施の形態に係る各図において、図形間の比率は、実際の比率とは異なる場合がある。
【００１５】
図１（ａ）に示す静電タッチスイッチ装置用電極１は、後述する静電容量式の静電タッチスイッチ装置の電極として用いられるものである。静電容量式の静電タッチスイッチ装置とは、検出対象物と電極との間に生じる静電容量の変化を監視することにより、電極に対する検出対象物の接近を検出するセンサ装置である。
【００１６】
また本実施の形態では、この静電タッチスイッチ装置は、一例として、車両に搭載される後述する空調装置の設定温度の調整、及び温度調整された空気の風量の調整等を指示するために用いられるものとする。なお本実施の形態では、図１（ｂ）に示すように、検出対象物は指３であるものとするが、これに限定されず、導電性を有するペン等であっても良い。
【００１７】
また、以下において、タッチ操作とは、電極上方の後述する操作面に接触する操作であり、なぞり操作とは、操作面をなぞるような操作であるものとする。
【００１８】
静電タッチスイッチ装置用電極１は、図１（ａ）及び（ｂ）に示すように、基体１０に設けられ、接近した指を検出する複数の電極（第１の電極１１〜第９の電極１９）と、基体１０に設けられ、複数の電極に電気的に接続された複数の配線（第１の配線１１０〜第９の配線１９０）と、複数の配線と絶縁されると共に複数の配線に沿って設けられ、複数の配線が設けられた配線領域１０１に接近した指を検出する少なくとも１つの配線領域用電極と、を備えて概略構成されている。
【００１９】
また静電タッチスイッチ装置用電極１は、配線領域用電極が第１の電極１１〜第９の電極１９、及び第１の配線１１０〜第９の配線１９０と同じ層に配置されている。言い換えるなら、静電タッチスイッチ装置用電極１は、図１（ｂ）に示すように、第１の電極１１〜第９の電極１９、第１の配線１１０〜第９の配線１９０、及び第１の配線領域用電極２１〜第５の配線領域用電極２５が形成された電極層２００を、基体１０上に備えている。また静電タッチスイッチ装置用電極１は、この電極層２００上に加飾層２０２を備えている。
【００２０】
ここで本実施の形態では、静電タッチスイッチ装置用電極１は、配線領域用電極として、第１の配線領域用電極２１〜第５の配線領域用電極２５を備えているが、これに限定されず、用途に応じて任意の数の配線領域用電極が設けられても良い。また同様に、電極及び配線の数は、上記に限定されず、用途に応じて任意である。
【００２１】
基体１０は、一例として、ポリイミド等のフィルム状の樹脂を用いて形成されたフレキシブル基板である。基体１０の厚みは、一例として、１００μｍである。
【００２２】
第１の電極１１〜第９の電極１９は、図１（ａ）に示すように、基体１０上に、等間隔で一列に並べられており、それぞれが矩形状を有している。第１の電極１１は、例えば、指との間に形成される静電容量の情報を含む第１の電極情報を出力するように概略構成されている。同様に、第２の電極１２〜第９の電極１９は、例えば、第２の電極情報〜第９の電極情報を出力するように概略構成されている。
【００２３】
この第１の電極１１〜第９の電極１９は、例えば、静電タッチスイッチ装置用電極１に必要な分解能に応じて幅やピッチ等が設定される。静電タッチスイッチ装置用電極１は、本実施の形態に係る静電タッチスイッチ装置用電極１の分解能よりも高い分解能が必要であれば、例えば、電極の幅を小さくしてより多くの電極が配置される。
【００２４】
第１の電極１１には、第１の配線１１０が電気的に接続されている。第２の電極１２には、第２の配線１２０が電気的に接続されている。第３の電極１３には、第３の配線１３０が電気的に接続されている。第４の電極１４には、第４の配線１４０が電気的に接続されている。第５の電極１５には、第５の配線１５０が電気的に接続されている。第６の電極１６には、第６の配線１６０が電気的に接続されている。第７の電極１７には、第７の配線１７０が電気的に接続されている。第８の電極１８には、第８の配線１８０が電気的に接続されている。第９の電極１９には、第９の配線１９０が電気的に接続されている。なお、配線は、１つの電極に複数設けられても良い。
【００２５】
この第１の配線１１０〜第９の配線１９０は、一例として、図１（ａ）の紙面の右側に配置されているが、これに限定されず、用途に応じて変更される。例えば、第１の配線１１０〜第９の配線１９０は、電極を挟むように左右に配置されても良い。なお、配線が左右に配置された場合は、配線領域用電極もまた、左右に配置される。
【００２６】
静電タッチスイッチ装置用電極１は、図１（ａ）に示すように、主に第１の電極１１〜第９の電極１９が配置された領域である電極領域１００と、主に第１の配線１１０〜第９の配線１９０が集められた領域である配線領域１０１と、に領域を分けることができる。操作は、この電極領域１００に基づいた、加飾層２０２の操作面２０３に行われる。また配線領域１０１の加飾層２０２の面は、図１（ａ）に示すように、非操作面２０４であり、この非操作面２０４になされた操作は、無効とされる。
【００２７】
この配線領域１０１には、第１の配線１１０〜第９の配線１９０の他に、第１の配線領域用電極２１〜第５の配線領域用電極２５が配置されている。この第１の配線領域用電極２１〜第５の配線領域用電極２５の幅Ｗ2は、例えば、第１の配線１１０〜第９の配線１９０の幅Ｗ1と同じであるが、これに限定されず任意である。なお、配線の幅Ｗ1、及び配線領域用電極の幅Ｗ2は、一例として、０．２ｍｍである。
【００２８】
配線領域用電極は、配線に挟まれた領域や配線の近傍等に配置されている。具体的には、第１の配線領域用電極２１は、図１（ａ）に示すように、第１の配線１１０と第２の配線１２０とに挟まれる位置に配置されている。第２の配線領域用電極２２は、第３の配線１３０と第４の配線１４０とに挟まれる位置に配置されている。第３の配線領域用電極２３は、第５の配線１５０と第６の配線１６０とに挟まれる位置に配置されている。第４の配線領域用電極２４は、第７の配線１７０と第８の配線１８０とに挟まれる位置に配置されている。
【００２９】
この第１の配線領域用電極２１〜第５の配線領域用電極２５は、それぞれの配線領域用電極が電気的に接続されている。第１の配線領域用電極２１〜第５の配線領域用電極２５は、指３との間に形成される静電容量を含む配線領域情報を出力するように概略構成されている。第１の配線領域用電極２１〜第５の配線領域用電極２５は、電気的に接続されて出力が１つなので、少なくとも１つの配線領域用電極が指３を検出すると、配線領域情報が出力される。
【００３０】
なお、第１の配線領域用電極２１〜第５の配線領域用電極２５は、基体１０上で、それぞれが電気的に接続するような構成であっても良いし、基体１０に設けられたコネクタにおいて、それぞれが電気的に接続するような構成であっても良い。前者の場合、第１の配線領域用電極２１〜第５の配線領域用電極２５は、電極層２００とは異なる層に形成される。また、第１の配線領域用電極２１〜第５の配線領域用電極２５は、それぞれが配線領域情報を出力する構成であっても良い。
【００３１】
ここで、配線と配線領域用電極とのピッチは、例えば、図１（ａ）に示すように、Ｐ1である。また配線と配線とのピッチは、例えば、図１（ａ）に示すように、Ｐ2である。このピッチＰ1及びピッチＰ2は、異なる値であっても良いが、本実施の形態では、同じであるものとする。このピッチＰ1及びピッチＰ2は、一例として、０．５ｍｍである。
【００３２】
配線と配線とに挟まれていない第５の配線領域用電極２５は、図１（ａ）に示すように、第９の配線１９０からピッチＰ1の位置に配置されている。
【００３３】
配線領域用電極間の距離ｄ1は、例えば、図１（ａ）に示す検出領域３０に基づいて定められている。この検出領域３０は、検出対象物により異なるが、本実施の形態では指を対象としているので、指に基づいて定められている。本実施の形態では、検出領域３０を定める基準となる指を指３として記載するものとする。
【００３４】
図１（ｂ）に示すように、操作面２０３に検出領域３０を定める際に基準とした指３が接触すると、検出感度により違いがあるものの、接触した面積よりも大きい領域に含まれる電極が、指３を検出する可能性がある。検出領域３０は、この検出する可能性がある領域として定められている。なお、本実施の形態では、検出領域３０は、直径がｒの円形状としているが、これに限定されず、楕円形状等の任意の形状で良い。なお、本実施の形態における検出領域３０は、例えば、図１（ｂ）に示すように、操作面２０３に対する指３の接触面積と同等か、それより直径が数ｍｍ大きい領域としている。
【００３５】
例えば、指３が第２の電極１２の中央近傍の操作面２０３に触れた場合、図１（ａ）に示すように、検出領域３０が第１の電極１１及び第３の電極１３を含む領域を有しているので、第１の電極１１及び第３の電極１３においても指３が検出される。
【００３６】
一方、操作者が、配線領域１０１に指３を接近させた場合、この接近を検出するために配線領域用電極が設けられているので、配線領域１０１において、少なくとも１つの配線領域用電極によって指３を検出できるように、配線領域用電極が配置されることが好ましい。従って、指３を検出するための配線領域用電極間の距離ｄ1は、検出領域３０の直径ｒ以下であることが好ましい。
【００３７】
配線領域用電極が、この距離ｄ1で配置されることにより、指３が意図せず、配線領域１０１において、検出されるほど接近した場合、少なくとも１つの配線領域用電極が指３を検出することとなり、第１の配線１１０〜第９の配線１９０のいずれかの配線も指３を検出するものの、配線領域１０１になされた意図しない操作として判定が容易となる。
【００３８】
第１の電極１１〜第９の電極１９、第１の配線１１０〜第９の配線１９０、及び第１の配線領域用電極２１〜第５の配線領域用電極２５は、一例として、導電性を有する金属を含有したポリアセチレン及びポリチオフェン等の導電性高分子を用いて形成されている。この導電性を有する金属は、一例として、銀である。この第１の電極１１〜第９の電極１９、第１の配線１１０〜第９の配線１９０、及び第１の配線領域用電極２１〜第５の配線領域用電極２５の厚みは、一例として、５μｍである。
【００３９】
加飾層２０２は、一例として、印刷により意匠が形成された印刷シートである加飾フィルムを、金型にインサートして樹脂を射出することで印刷シートと樹脂とを一体とするシートインサート成形により形成される。この加飾層２０２の厚みは、一例として、２００μｍである。
【００４０】
（配線領域用電極の配置について）
第１の配線領域用電極２１〜第５の配線領域用電極２５は、例えば、配線領域１０１の非操作面２０４に指３が接触した場合の検出領域３０に基づいて配置される。つまり、第１の配線領域用電極２１〜第５の配線領域用電極２５は、例えば、配線領域１０１の非操作面２０４にタッチ操作がなされた際、第１の配線領域用電極２１〜第５の配線領域用電極２５の少なくともいずれかの配線領域用電極が、このタッチ操作を検出するように配置される。
【００４１】
この検出領域３０は、一例として、図１（ａ）に示すように、その直径ｒが、並べられた３つの電極の幅よりも小さいので、指３が最大で３つの電極により検出される。例えば、操作者が第２の電極１２に対してタッチ操作を行った場合、第２の電極１２に隣接する第１の電極１１及び第３の電極１３によっても検出される。
【００４２】
ここで、例えば、配線領域用電極が配線領域１０１に設けられていない場合、配線領域１０１に誤って指３が接近すると、複数の配線により指３が検出され、電極領域１００の操作面２０３になされた操作との区別が困難となって誤検出がなされる可能性がある。
【００４３】
しかし、この静電タッチスイッチ装置用電極１は、図１（ａ）に示すように、指３の検出領域３０に基づいて第１の配線領域用電極２１〜第５の配線領域用電極２５が配置されている。よって第１の配線領域用電極２１〜第５の配線領域用電極２５は、指３の移動に伴って検出領域３０が移動しても、第１の配線領域用電極２１〜第５の配線領域用電極２５のいずれかの配線領域用電極が指３を検出するように構成されている。
【００４４】
従って、静電タッチスイッチ装置用電極１は、第１の配線１１０〜第９の配線１９０に沿うように第１の配線領域用電極２１〜第５の配線領域用電極２５を配置することで、誤って配線領域１０１に指３が接近したとしても、配線領域１０１に属する第１の配線領域用電極２１〜第５の配線領域用電極２５の少なくとも１つの配線領域用電極が指３を検出することとなり、後段の処理において、意図した操作ではないと容易に判定させることが可能となる。
【００４５】
続いて、以下では、静電タッチスイッチ装置用電極１を用いた静電タッチスイッチ装置４について説明する。
【００４６】
（静電タッチスイッチ装置４の構成）
図２（ａ）は、実施の形態に係る静電タッチスイッチ装置用電極が用いられた静電タッチスイッチ装置の概略図であり、（ｂ）は、電極の配置の概略図であり、（ｃ）は、静電タッチスイッチ装置のブロック図である。
【００４７】
静電タッチスイッチ装置４は、一例として、図２（ａ）に示すように、車両に搭載された空調装置５の設定温度の調整、及び温度調整された空気の風量の調整等を指示することができるように構成されている。
【００４８】
静電タッチスイッチ装置４は、一例として、操作者が、図２（ｂ）の紙面上側、つまり第１の電極１１〜第３の電極１３に対してタッチ操作を行った場合、設定対象の値を上昇させるタッチスイッチとして機能させるように概略構成されている。また静電タッチスイッチ装置４は、一例として、操作者が、図２（ｂ）の紙面下側、つまり第７の電極１７〜第９の電極１９に対してタッチ操作を行った場合、設定対象の値を下降させるタッチスイッチとして機能させるように概略構成されている。なお、静電タッチスイッチ装置４は、一例として、操作者が、図２（ｂ）の紙面の上から下に向かって操作面２０３をなぞる、なぞり操作を行うと、なぞった距離に応じて設定対象の値を予め定められた量、下降させ、下から上に向かってなぞり操作を行うと、なぞった距離に応じて設定対象の値を予め定められた量、上昇させるように概略構成されている。
【００４９】
静電タッチスイッチ装置４は、図２（ａ）の紙面において、空調装置５の表示部５０の右側に配置されている。従って静電タッチスイッチ装置４は、例えば、図２（ａ）の配線領域１０１に操作者の指３が接近した場合、配線領域用電極でこの指３が検出されると、その読出周期における検出を無効とするように構成されている。なお、この読出周期は、一例として、５０μｓである。
【００５０】
空調装置５の表示部５０は、例えば、図２（ａ）に示すように、設定温度表示領域５１と、風量表示領域５２と、吹出口表示領域５３と、を表示するように構成されている。
【００５１】
設定温度表示領域５１は、例えば、空調装置５の現在の設定温度が表示される領域である。風量表示領域５２は、例えば、空調装置５の現在の風量が表示される領域である。吹出口表示領域５３は、例えば、車両のいずれの吹出口から温度調整された空気が吹出しているのかが表示される領域である。
【００５２】
また静電タッチスイッチ装置４は、図２（ｃ）に示すように、第１の配線１１０〜第９の配線１９０、及び第１の配線領域用電極２１〜第５の配線領域用電極２５と電気的に接続され、第１の配線領域用電極２１〜第５の配線領域用電極２５の少なくとも１つの配線領域用電極が指３を検出した場合、指３の検出を無効と判定する判定部４５を備えている。
【００５３】
この判定部４５は、第１の電極１１〜第９の電極１９から取得した第１の電極情報〜第９の電極情報と比較される第１のしきい値４５１と、第１の配線領域用電極２１〜第５の配線領域用電極２５から取得した配線領域情報と比較される第２のしきい値４５２と、を備えている。
【００５４】
具体的には、判定部４５は、第１の電極１１〜第９の電極１９から取得する第１の電極情報〜第９の電極情報と第１のしきい値４５１とを比較し、第１のしきい値４５１より大きい静電容量を出力する電極に操作がなされたと判定するように構成されている。
【００５５】
また判定部４５は、第１の配線領域用電極２１〜第５の配線領域用電極２５から取得した配線領域情報と第２のしきい値４５２とを比較し、第２のしきい値４５２よりも配線領域情報に含まれる静電容量が大きい場合、指３の検出を無効とするように構成されている。
【００５６】
判定部４５は、第１の配線１１０〜第９の配線１９０を介して第１の電極１１〜第９の電極１９と電気的に接続されると共に、第１の配線領域用電極２１〜第５の配線領域用電極２５とも電気的に接続されている。また判定部４５は、配線領域用電極との接続と、第１の電極１１〜第９の電極１９のそれぞれとの接続と、を読出周期に応じて順に切り替え、配線領域情報、及び第１の電極情報〜第９の電極情報を読み出すように構成されている。
【００５７】
判定部４５は、第１の配線領域用電極２１〜第５の配線領域用電極２５が指３を検出せず、さらに、第１の電極１１〜第９の電極１９のうち、少なくとも１つの電極が指３を検出した場合、この指３が検出された座標を算出し、この座標の情報を含む操作情報を出力するように概略構成されている。この座標は、例えば、第１の電極１１〜第９の電極１９に基づいて定められた一次元の座標である。
【００５８】
この第２のしきい値４５２は、一例として、第１のしきい値４５１の半分の値を有している。これは、操作面２０３に接触した指３に基づく検出領域３０に含まれる電極の面積よりも、非操作面２０４に接触した指３の検出領域３０に含まれる配線領域用電極の面積の方が小さいからである。
【００５９】
第１の電極１１〜第９の電極１９は、図２（ｂ）の紙面において、上から下に順番に並べられている。本実施の形態では、検出領域３０の直径ｒは、一例として、２０ｍｍであるとしている。これは、一例として、日本人の平均的な指よりもやや太い設定となっている。電極の幅Ｗ3、電極間の距離ｄ2、及び電極間のピッチＰ3は、この検出領域３０に基づいて設定される。一例として、電極の幅Ｗ3は５．５ｍｍ、電極間の距離ｄ2は２ｍｍ、及び電極間のピッチＰ3は７．５ｍｍと設定される。従って、３つの電極間の幅は、２０．５ｍｍとなり、検出領域３０の直径ｒよりも大きく設定されている。
【００６０】
以下では、実施の形態に係る静電タッチスイッチ装置４の動作について、図３のフローチャートに従って説明する。
【００６１】
（動作）
まず、静電タッチスイッチ装置４の判定部４５は、第１の配線領域用電極２１〜第５の配線領域用電極２５から配線領域情報を取得する（Ｓ１）。
【００６２】
判定部４５は、取得した配線領域情報と第２のしきい値４５２とを比較して操作が検出されたか否かを判定する。ステップ２において、判定部４５は、配線領域情報に含まれる静電容量が第２のしきい値４５２よりも大きい場合、つまり操作を検出したと判定すると（Ｓ２：Ｙｅｓ）、意図せぬ操作が検出されたとして、この読出周期における、第１の電極１１〜第９の電極１９からの第１の電極情報〜第９の電極情報の読み出しを停止し（Ｓ３）、この読出周期における操作の検出を無効とする。判定部４５は、この読出周期における動作を終了し、次の読出周期の配線領域情報の読み出しを開始する。
【００６３】
ここで、ステップ２において、判定部４５は、取得した配線領域情報が第２のしきい値４５２以下である場合（Ｓ２：Ｎｏ）、第１の電極１１〜第９の電極１９の順に、第１の電極情報〜第９の電極情報を取得し（Ｓ４）、第１の電極情報〜第９の電極情報と第１のしきい値４５１と比較する。
【００６４】
判定部４５は、第１の電極情報〜第９の電極情報の少なくとも１つが第１のしきい値４５１よりも大きい場合、電極が操作を検出したと判定する（Ｓ５：Ｙｅｓ）。判定部４５は、操作が検出された電極に基づいて操作情報を生成し、電気的に接続された電子機器に出力する（Ｓ６）。判定部４５は、この読出周期における動作を終了し、次の読出周期の配線領域情報の読み出しを開始する。
【００６５】
なお、判定部４５は、配線領域情報の読み出しから始めたが、これに限定されず、第１の電極情報〜第９の電極情報から読み出しを開始しても良い。
【００６６】
（実施の形態の効果）
本実施の形態に係る静電タッチスイッチ装置用電極１は、第１の配線１１０〜第９の配線１９０が配置された配線領域１０１になされた意図せぬ操作を検出する誤検出を抑制すると共に、複数の電極に跨がるような操作の検出を可能とすることができる。
【００６７】
具体的には、静電タッチスイッチ装置用電極１は、配線領域１０１に、第１の配線領域用電極２１〜第５の配線領域用電極２５を配置することで、配線領域１０１になされた意図せぬ操作を、第１の配線領域用電極２１〜第５の配線領域用電極２５の少なくとも１つによって検出することができる。従って静電タッチスイッチ装置用電極１は、後段の処理において、配線領域１０１になされた操作と、電極領域１００になされた操作と、を容易に区別させることができ、誤検出を抑制させることができる。
【００６８】
また静電タッチスイッチ装置用電極１は、配線領域１０１に接近した検出対象物の検出と、電極領域１００に接近した検出対象物の検出と、を区別するために、同一周期における複数の電極に対する操作を禁止すると共に、電極を離して配置するような構成が必要ないので、同一の読出周期内で行われた複数の電極に跨がる操作を検出することができる。
【００６９】
静電タッチスイッチ装置用電極１は、検出領域３０に複数の電極が含まれないように電極間の距離を大きくするものと比べて、電極を小さくしたり、電極間を短くしたりすることが可能となり、小型化することが容易である。
【００７０】
静電タッチスイッチ装置用電極１を用いた静電タッチスイッチ装置４は、配線領域１０１に配置された第１の配線領域用電極２１〜第５の配線領域用電極２５が検出対象物を検出したか否かによって、後段の処理としての判定部４５が、誤検出を判定するので、処理が簡単であり、高度な処理を必要とする場合と比べて、コストを低減することができる。
【００７１】
静電タッチスイッチ装置４は、静電タッチスイッチ装置用電極１を備えているので、小型化が容易である。
【００７２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００７３】
１…静電タッチスイッチ装置用電極
３…指
４…静電タッチスイッチ装置
５…空調装置
１０…基体
１１〜１９…第１の電極〜第９の電極
２１〜２５…第１の配線領域用電極〜第５の配線領域用電極
３０…検出領域
４５…判定部
５０…表示部
５１…設定温度表示領域
５２…風量表示領域
５３…吹出口表示領域
１００…電極領域
１０１…配線領域
１１０〜１９０…第１の配線〜第９の配線
２００…電極層
２０２…加飾層
２０３…操作面
２０４…非操作面
４５１…第１のしきい値
４５２…第２のしきい値
【図１】
2014235927.tif 000003
【図２】
2014235927.tif 000004
【図３】
2014235927.tif 000005